(57)【要約】【課題】被紹介者ユーザの個人情報が被紹介者ユーザの許諾無しに登録サイトに提供されることを防止する。【解決手段】管理サーバは、第１ユーザのユーザ情報を登録するための第１ユーザ情報入力表をウェブサイトに設け、第１ユーザのユーザ端末から第１ユーザ情報入力表の入力を受け付け、第１ユーザ情報入力表に入力された第１ユーザ情報および第１ユーザ情報を識別する識別符号を含む第１登録情報を格納し、第１ユーザ情報に含まれるネットワーク上の識別情報に基づいて識別符号およびウェブサイトに設けられた第２ユーザ情報入力表のアドレス情報を第１ユーザ宛に送信し、アドレス情報を使用してウェブサイトにアクセスする第２ユーザのユーザ端末から第２ユーザ情報入力表の入力を受け付け、第２ユーザ情報入力表に入力された第２ユーザ情報および識別符号を含む第２登録情報を格納する。【選択図】図１
2008165391.tif 000002
【特許請求の範囲】
【請求項１】
ネットワーク上にウェブサイトを開設し、該ウェブサイトにアクセスするユーザ端末と通信を行う管理サーバであって、
第１ユーザのユーザ情報を登録するための第１ユーザ情報入力表を前記ウェブサイトに設け、第１ユーザのユーザ端末から前記第１ユーザ情報入力表の入力を受け付ける受付部と、
前記第１ユーザ情報入力表に入力された第１ユーザ情報および該第１ユーザ情報を識別する識別符号を含む第１登録情報を格納する格納部と、
前記第１ユーザ情報に含まれる前記ネットワーク上の識別情報に基づいて前記識別符号および前記ウェブサイトに設けられた第２ユーザ情報入力表のアドレス情報を前記第１ユーザ宛に送信する送信部と、を備え、
前記受付部は、第２ユーザのユーザ情報を登録するための第２ユーザ情報入力表を前記ウェブサイトに設け、前記アドレス情報を使用して前記ウェブサイトにアクセスする第２ユーザのユーザ端末から前記第２ユーザ情報入力表の入力を受け付け、
前記格納部は、前記第２ユーザ情報入力表に入力された第２ユーザ情報および前記識別符号を含む第２登録情報を格納する、管理サーバ。
【請求項２】
前記格納部に格納された前記第１登録情報と前記第２登録情報とを前記識別符号によって関連付けて管理する管理部を、備える請求項１に記載の管理サーバ。
【請求項３】
ネットワーク上にウェブサイトを開設し、該ウェブサイトにアクセスするユーザ端末と通信を行う管理サーバであって、
第１ユーザのユーザ情報を登録するための第１ユーザ情報入力表を前記ウェブサイトに設け、第１ユーザのユーザ端末から前記第１ユーザ情報入力表の入力を受け付ける受付部と、
前記第１ユーザ情報入力表に入力された第１ユーザ情報および該第１ユーザ情報を識別する識別符号を含む第１登録情報を格納する格納部と、
前記第１ユーザ情報に含まれる前記ネットワーク上の識別情報に基づいて前記識別符号および第２ユーザ情報入力表を作成するソースプログラムを前記第１ユーザ宛に送信する送信部と、
前記ソースプログラムに基づいて作成された第２ユーザ情報入力表に入力された第２ユーザのユーザ情報および前記識別符号を含む第２登録情報を受信する受信部と、を備え、
前記格納部は、前記第２登録情報を格納する、管理サーバ。
【請求項４】
前記格納部に格納された前記第１登録情報と前記第２登録情報とを前記識別符号によって関連付けて管理する管理部を、備える請求項３に記載の管理サーバ。
【請求項５】
ネットワーク上にウェブサイトを開設し、該ウェブサイトにアクセスするユーザ端末と通信を行う管理サーバが実行する管理方法であって、
第１ユーザのユーザ情報を登録するための第１ユーザ情報入力表を前記ウェブサイトに設け、第１ユーザのユーザ端末から前記第１ユーザ情報入力表の入力を受け付ける受付ステップと、
前記第１ユーザ情報入力表に入力された第１ユーザ情報および該第１ユーザ情報を識別する識別符号を含む第１登録情報を格納部に格納する格納ステップと、
前記第１ユーザ情報に含まれる前記ネットワーク上の識別情報に基づいて前記識別符号および前記ウェブサイトに設けられた第２ユーザ情報入力表のアドレス情報を前記第１ユーザ宛に送信する送信ステップと、を備え、
前記受付ステップは、第２ユーザのユーザ情報を登録するための第２ユーザ情報入力表を前記ウェブサイトに設け、前記アドレス情報を使用して前記ウェブサイトにアクセスす
る第２ユーザのユーザ端末から前記第２ユーザ情報入力表の入力を受け付け、
前記格納ステップは、前記格納部に前記第２ユーザ情報入力表に入力された第２ユーザ情報および前記識別符号を含む第２登録情報を格納する、管理方法。
【請求項６】
前記格納部に格納された前記第１登録情報と前記第２登録情報とを前記識別符号によって関連付けて管理する管理ステップを、備える請求項５に記載の管理方法。
【請求項７】
ネットワーク上にウェブサイトを開設し、該ウェブサイトにアクセスするユーザ端末と通信を行う管理サーバが実行する管理方法であって、
第１ユーザのユーザ情報を登録するための第１ユーザ情報入力表を前記ウェブサイトに設け、第１ユーザのユーザ端末から前記第１ユーザ情報入力表の入力を受け付ける受付ステップと、
前記第１ユーザ情報入力表に入力された第１ユーザ情報および該第１ユーザ情報を識別する識別符号を含む第１登録情報を格納部に格納する格納ステップと、
前記第１ユーザ情報に含まれる前記ネットワーク上の識別情報に基づいて前記識別符号および第２ユーザ情報入力表を作成するソースプログラムを前記第１ユーザ宛に送信する送信ステップと、
前記ソースプログラムに基づいて作成された第２ユーザ情報入力表に入力された第２ユーザのユーザ情報および前記識別符号を含む第２登録情報を受信する受信ステップと、を備え、
前記格納ステップは、前記格納部に前記第２登録情報を格納する、管理方法。
【請求項８】
前記格納部に格納された前記第１登録情報と前記第２登録情報とを前記識別符号によって関連付けて管理する管理ステップを、備える請求項７に記載の管理方法。
【請求項９】
ネットワーク上にウェブサイトを開設し、該ウェブサイトにアクセスするユーザ端末と通信を行う管理サーバに実行させる、コンピュータ実行可能なプログラムであって、
第１ユーザのユーザ情報を登録するための第１ユーザ情報入力表を前記ウェブサイトに設け、第１ユーザのユーザ端末から前記第１ユーザ情報入力表の入力を受け付ける受付ステップと、
前記第１ユーザ情報入力表に入力された第１ユーザ情報および該第１ユーザ情報を識別する識別符号を含む第１登録情報を格納部に格納する格納ステップと、
前記第１ユーザ情報に含まれる前記ネットワーク上の識別情報に基づいて前記識別符号および前記ウェブサイトに設けられた第２ユーザ情報入力表のアドレス情報を前記第１ユーザ宛に送信する送信ステップと、を備え、
前記受付ステップは、第２ユーザのユーザ情報を登録するための第２ユーザ情報入力表を前記ウェブサイトに設け、前記アドレス情報を使用して前記ウェブサイトにアクセスする第２ユーザのユーザ端末から前記第２ユーザ情報入力表の入力を受け付け、
前記格納ステップは、前記格納部に前記第２ユーザ情報入力表に入力された第２ユーザ情報および前記識別符号を含む第２登録情報を格納する、プログラム。
【請求項１０】
ネットワーク上にウェブサイトを開設し、該ウェブサイトにアクセスするユーザ端末と通信を行う管理サーバに実行させる、コンピュータ実行可能なプログラムであって、
第１ユーザのユーザ情報を登録するための第１ユーザ情報入力表を前記ウェブサイトに設け、第１ユーザのユーザ端末から前記第１ユーザ情報入力表の入力を受け付ける受付ステップと、
前記第１ユーザ情報入力表に入力された第１ユーザ情報および該第１ユーザ情報を識別する識別符号を含む第１登録情報を格納部に格納する格納ステップと、
前記第１ユーザ情報に含まれる前記ネットワーク上の識別情報に基づいて前記識別符号および第２ユーザ情報入力表を作成するソースプログラムを前記第１ユーザ宛に送信する
送信ステップと、
前記ソースプログラムに基づいて作成された第２ユーザ情報入力表に入力された第２ユーザのユーザ情報および前記識別符号を含む第２登録情報を受信する受信ステップと、を備え、
前記格納ステップは、前記格納部に前記第２登録情報を格納する、プログラム。
【発明の詳細な説明】
【技術分野】
【０００１】
本発明は、管理サーバ、制御方法およびプログラムに関する。
【背景技術】
【０００２】
近年、インターネットの普及により、Ｗｅｂ（World Wide Web）上でユーザが各種登録手続きを行うことが可能となっている。インターネットを利用するユーザが、所定の優待サービスを希望する場合がある。この場合、ユーザが所定の優待サービスの提供を受けるためには、ユーザの個人情報をＷｅｂ（World Wide Web）上の登録サイトに登録する必要がある。そして、ユーザの個人情報を登録サイトに登録することにより、優待サービスの登録が行われる。
【特許文献１】特開２００２−０２４６３９号公報
【特許文献２】特開２００２−１０９３７８号公報
【特許文献３】特開２００２−１３３２２７号公報
【特許文献４】特開２００５−０８４７５６号公報
【発明の開示】
【発明が解決しようとする課題】
【０００３】
所定の優待サービスの提供を受けたユーザ（紹介者ユーザ）が、知り合いのユーザ（被紹介者ユーザ）に所定の優待サービスを紹介したいと考える場合がある。被紹介者ユーザが紹介者ユーザによって優待サービスを紹介されたことを登録サイトに記録するためには、紹介者ユーザが、被紹介者ユーザの個人情報を登録サイトに提供する必要がある。この場合、被紹介者ユーザの個人情報が、被紹介者ユーザの許諾無しに第３者である登録サイトに提供されるという問題がある。また、紹介者ユーザにとっては、他人の個人情報を取り扱うという問題がある。
【０００４】
本発明は、被紹介者ユーザの個人情報が被紹介者ユーザの許諾無しに登録サイトに提供されることを防止することを目的とする。
【課題を解決するための手段】
【０００５】
本発明は、上記課題を解決するために、以下の手段を採用した。すなわち、本発明の管理サーバは、ネットワーク上にウェブサイトを開設し、該ウェブサイトにアクセスするユーザ端末と通信を行う管理サーバであって、第１ユーザのユーザ情報を登録するための第１ユーザ情報入力表を前記ウェブサイトに設け、第１ユーザのユーザ端末から前記第１ユーザ情報入力表の入力を受け付ける受付部と、前記第１ユーザ情報入力表に入力された第１ユーザ情報および該第１ユーザ情報を識別する識別符号を含む第１登録情報を格納する格納部と、前記第１ユーザ情報に含まれる前記ネットワーク上の識別情報に基づいて前記識別符号および前記ウェブサイトに設けられた第２ユーザ情報入力表のアドレス情報を前記第１ユーザ宛に送信する送信部と、を備え、前記受付部は、第２ユーザのユーザ情報を登録するための第２ユーザ情報入力表を前記ウェブサイトに設け、前記アドレス情報を使用して前記ウェブサイトにアクセスする第２ユーザのユーザ端末から前記第２ユーザ情報入力表の入力を受け付け、前記格納部は、前記第２ユーザ情報入力表に入力された第２ユーザ情報および前記識別符号を含む第２登録情報を格納する。
【０００６】
本発明の管理サーバは、格納部に、第１ユーザ情報および識別符号を含む第１登録情報と、第２ユーザ情報および識別符号を含む第２登録情報が格納される。そして、格納部に格納された識別符号によって、第１ユーザ情報と第２ユーザ情報とが関連付けられる。そのため、第１ユーザ情報入力表に第２ユーザ情報を入力せずとも、第１ユーザ情報と第２
ユーザ情報とを関連付けることが可能となる。また、第２ユーザ情報入力表に第１ユーザ情報を入力せずとも、第１ユーザ情報と第２ユーザ情報とを関連付けることが可能となる。
【０００７】
また、本発明の管理サーバは、前記格納部に格納された前記第１登録情報と前記第２登録情報とを前記識別符号によって関連付けて管理する管理部を備えるものでもよい。本発明の管理サーバによれば、格納部に格納された第１登録情報と第２登録情報とを識別符号によって関連付けて管理することが可能となる。
【０００８】
本発明の管理サーバは、ネットワーク上にウェブサイトを開設し、該ウェブサイトにアクセスするユーザ端末と通信を行う管理サーバであって、第１ユーザのユーザ情報を登録するための第１ユーザ情報入力表を前記ウェブサイトに設け、第１ユーザのユーザ端末から前記第１ユーザ情報入力表の入力を受け付ける受付部と、前記第１ユーザ情報入力表に入力された第１ユーザ情報および該第１ユーザ情報を識別する識別符号を含む第１登録情報を格納する格納部と、前記第１ユーザ情報に含まれる前記ネットワーク上の識別情報に基づいて前記識別符号および第２ユーザ情報入力表を作成するソースプログラムを前記第１ユーザ宛に送信する送信部と、前記ソースプログラムに基づいて作成された第２ユーザ情報入力表に入力された第２ユーザのユーザ情報および前記識別符号を含む第２登録情報を受信する受信部と、を備え、前記格納部は、前記第２登録情報を格納する。
【０００９】
本発明の管理サーバは、格納部に、第１ユーザ情報および識別符号を含む第１登録情報と、第２ユーザ情報および識別符号を含む第２登録情報が格納される。そして、格納部に格納された識別符号によって、第１ユーザ情報と第２ユーザ情報とが関連付けられる。そのため、第１ユーザ情報入力表に第２ユーザ情報を入力せずとも、第１ユーザ情報と第２ユーザ情報とを関連付けることが可能となる。また、第２ユーザ情報入力表に第１ユーザ情報を入力せずとも、第１ユーザ情報と第２ユーザ情報とを関連付けることが可能となる。
【００１０】
また、本発明の管理サーバは、前記格納部に格納された前記第１登録情報と前記第２登録情報とを前記識別符号によって関連付けて管理する管理部を備えるものでもよい。本発明の管理サーバによれば、格納部に格納された第１登録情報と第２登録情報とを識別符号によって関連付けて管理することが可能となる。
【００１１】
また、本発明は、コンピュータその他の装置、機械等が上記いずれかの処理を実行する方法であってもよい。また、本発明は、コンピュータその他の装置、機械等に、以上のいずれかの機能を実現させるプログラムであってもよい。また、本発明は、そのようなプログラムをコンピュータ等が読み取り可能な記録媒体に記録したものでもよい。
【発明の効果】
【００１２】
本発明によれば、被紹介者ユーザの個人情報が被紹介者ユーザの許諾無しに登録サイトに提供されることを防止することができる。
【発明を実施するための最良の形態】
【００１３】
以下、図面に基づいて、本発明の実施の形態を説明する。以下の実施形態の構成は例示であり、本発明は実施形態の構成には限定されない。
【００１４】
〈第１実施形態〉
〈システム構成〉
図１は、本実施形態のシステム構成を示すブロック図である。本システムは、ユーザ端末１０１、ユーザ端末１０２および管理サーバ１０３を有している。ユーザ端末１０１と
管理サーバ１０３とは、ネットワーク１０４を通じて相互に情報交換が行われる。また、ユーザ端末１０２と管理サーバ１０３とは、ネットワーク１０４を通じて相互に情報交換が行われる。管理サーバ１０３は、優待サービスの提供を受けるユーザを登録するためのＷｅｂサイト（登録サイト）を提供する。
【００１５】
ユーザ端末１０１およびユーザ端末１０２は、ＣＰＵ（Central Processing Unit）、
ＲＯＭ（Read Only Memory）、ＲＡＭ（Random Access Memory）、外部記憶装置、通信インターフェース、モニタやディスプレイなどの表示装置およびキーボードやマウスなどの入力装置等を有し、ネットワーク１０４にアクセス可能なコンピュータである。このようなコンピュータは、例えば、パーソナルコンピュータとしてその構成および作用は周知であり、ここではその説明を省略する。
【００１６】
また、ユーザ端末１０１およびユーザ端末１０２として、この他に、例えば、ＰＤＡ（Personal Digital Assistant）、携帯電話、ＣＥ（Consumer Electronics）機器など、ネットワーク１０４に接続可能な情報処理装置を用いることができる。
【００１７】
紹介者ユーザは、ユーザ端末１０１が備えるモニタの画面上で紹介者ユーザに関する情報（紹介者ユーザの個人情報）を入力し、ユーザ登録を行う。ここでは、紹介者ユーザは、ユーザ端末１０１を操作することにより、登録サイトにアクセスし、ユーザ端末１０１が備えるモニタの画面上に個人情報を入力するＷｅｂページを表示させる。そして、紹介者ユーザはユーザ端末１０１を介して紹介者ユーザの個人情報を入力する。すなわち、紹介者ユーザは、ユーザ端末１０１を操作することにより、ネットワーク１０４を介して管理サーバ１０３が開設する登録サイトにアクセスし、個人情報の登録を行う。本実施形態では、ネットワーク１０４としてインターネットを用いることが可能である。また、この他に電話線、専用線、光通信網、通信衛生などの通信回線によりネットワーク１０４を構成することもできる。
【００１８】
ユーザ端末１０１は、ＷＷＷ（World Wide Web）ブラウザ（以下、単にブラウザとも称する）を備えている。ユーザ端末１０１は、ブラウザを使用してネットワーク１０４上に開設されたサイトにアクセスすることができる。ネットワーク１０４上に開設されたサイトは、固有のＵＲＬ（Uniform Resource Locator）で特定される。ブラウザはＵＲＬを指定することでネットワーク１０４上に開設されたサイトにアクセスすることができる。また、ブラウザに特定のＵＲＬを入力すると、ブラウザはＵＲＬに記述したプロトコルを使用して、当該ＵＲＬで特定されるサイトを構築するサーバと接続が可能となる。ＵＲＬは、ネットワーク１０４上に存在する情報にアクセスするためのプロトコル、情報が存在するネットワーク１０４上のサーバ名、情報を格納しているディレクトリとファイル名で構成されている。ＵＲＬが、本発明のアドレス情報に相当する。
【００１９】
また、ブラウザは、ＵＲＬに記述した所望のファイルを管理サーバ１０３から受信することができる。ブラウザはファイルを受信後、受信したファイルを解読する。そして、ブラウザはファイルで定義された画面をユーザ端末１０１のモニタに表示する。ファイルは、例えば、ＨＴＭＬ（Hypertext Markup Language）やＸＭＬ（Extensible Markup Language）などのマークアップ言語で記述されている。また、ブラウザは、紹介者ユーザが入
力した情報を接続した管理サーバ１０３に送信することもできる。
【００２０】
ユーザ端末１０１は、メーラーを備えている。ユーザ端末１０１は、メーラーを使用して管理サーバ１０３から送信される電子メールやＨＴＭＬメールを受信する。
【００２１】
管理サーバ１０３が開設する登録サイトは固有のＵＲＬで特定されている。ユーザ端末１０１がブラウザを用いて管理サーバ１０３が開設する登録サイトのＵＲＬを指定するこ
とで、ユーザ端末１０１は管理サーバ１０３にアクセスすることができる。
【００２２】
ユーザ端末１０２もユーザ端末１０１と同様の機能を備えている。そのため、被紹介者ユーザも紹介者ユーザと同様の操作により、ユーザ端末１０２は、管理サーバ１０３と各種情報の交換を行うことが可能である。
【００２３】
管理サーバ１０３は、Ｗｅｂサーバ機能を備えている。管理サーバ１０３は、ネットワーク１０４上にＷｅｂサイトを提供し、ユーザ端末１０１およびユーザ端末１０２からのアクセスを受け付ける。
【００２４】
管理サーバ１０３が開設するサイトでは、紹介者ユーザや被紹介者ユーザの個人情報を識別するためのアクセスナンバーの設定を行う。アクセスナンバーは、数字、アルファベット、その他の記号であってもよい。個人情報が、本発明のユーザ情報に相当する。また、アクセスナンバーが、本発明の識別符号に相当する。
【００２５】
図２は、管理サーバ１０３の機能ブロック図である。管理サーバ１０３は、送信部２０１、受信部２０２、格納部２０３、管理部２０４および生成部２０５、受付部２０６を備えている。
【００２６】
送信部２０１は、ネットワーク１０４を介してユーザ端末１０１およびユーザ端末１０２に対して各種情報の送信を行う。受信部２０２は、ネットワーク１０４を介してユーザ端末１０１およびユーザ端末１０２から送信される各種情報の受信を行う。
【００２７】
格納部２０３は、各種情報が格納される。格納部２０３は、個人情報を格納するデータベースを備えている。管理部２０４は、管理サーバ１０３全体の動作を制御する。生成部２０５は、登録完了メールおよび紹介メール等の電子メールを作成する。
【００２８】
受付部２０６は、ネットワーク４上にＷｅｂサイトを提供し、ユーザ端末１０１およびユーザ端末１０２からのアクセスを受け付ける。
【００２９】
図３は、管理サーバ１０３のハードウェア構成を示した図である。管理サーバ１０３は、ＣＰＵ（Central Processing Unit）３０１、ＲＯＭ（Read Only Memory）３０２、Ｒ
ＡＭ（Random Access Memory）３０３、外部記憶装置３０４、操作部３０５、表示部３０６、およびインターフェース部３０７で構成されている。これらは、相互にバスを介して接続されている。
【００３０】
ＣＰＵ３０１は、ＲＯＭ３０２に記憶されているプログラムに従って各種の処理を実行する。ＣＰＵ３０１は、インターフェース部３０７を介してユーザ端末１０１やユーザ端末１０２と通信回線を確立する。ＣＰＵ３０１は、ＲＯＭ３０２に記憶されているＷｅｂサーバプログラムを読み込むことにより、管理サーバ１０３はＷｅｂサーバとして機能する。
インターフェース部３０７は、モデム、ターミナルアダプタなどの通信装置を備えており、ユーザ端末１０１やユーザ端末１０２との通信の制御を行う。
【００３１】
ＲＯＭ３０２は、例えば、ユーザ端末１０１やユーザ端末１０２との通信を確立・維持するための通信プログラムが格納されている。また、ＲＯＭ３０２はファイルの入出力、管理サーバ１０３の制御を実現するためのＯＳ（Operating System）が格納されている。また、ＲＯＭ３０２は、管理サーバ１０３が機能する上で必要なプログラムやパラメータなどが格納されている。ＲＡＭ３０３は、ＣＰＵ３０１の動作上必要なデータや、ＣＰＵ３０１が実行するアプリケーションのプログラムなどを記憶する。外部記憶装置３０４は
、上述したアプリケーションのプログラムや、必要なデータを格納しているハードディスク（図示せず）に対する読み書き制御を行う。操作部３０５は、例えば、キーボードやマウスなどであり、所定のコマンドや必要なデータを入力するときなどに操作される。表示部３０６は、例えば、ＣＲＴ（Cathode Ray Tube）や液晶ディスプレイ、プラズマディスプレイなどによる表示装置や、スピーカなどの音声出力装置、プリンタ装置などの出力装置を備えている。
【００３２】
〈第１実施形態のシステムの処理フロー〉
図４に、第１実施形態に係るシステムの処理フローを示す。紹介者ユーザは、ユーザ端末１０１を操作することにより、管理サーバ１０３の登録サイトにアクセスする。そして、紹介者ユーザは、管理サーバ１０３の登録サイトにおいて、紹介者ユーザの個人情報を入力し、個人情報の登録を行う（Ｓ４０１）。管理サーバ１０３の登録サイトに、紹介者ユーザの個人情報を登録することにより、優待サービスの登録が行われることになる。
【００３３】
図５を参照して、登録サイトへのアクセスおよび優待サービスの登録を具体的に説明する。まず、紹介者ユーザは、ユーザ端末１０１を操作することにより、登録サイトにアクセスする。例えば、紹介者ユーザは、ユーザ端末１０１が備えるブラウザに登録サイトのＵＲＬを入力することにより、登録サイトにアクセスする（Ｓ５０１）。
【００３４】
紹介者ユーザが、ユーザ端末１０１を操作することにより、登録サイトにアクセスした場合、ユーザ端末１０１のモニタの画面上には、トップページ５１１が表示される。トップページ５１１は、登録サイトがアクセスされた場合、ユーザ端末１０１のモニタの画面上に最初に表示されるＷｅｂページである。
【００３５】
紹介者ユーザは、ユーザ端末１０１を操作することにより、ユーザ端末１０１のモニタの画面を、トップページ５１１からご優待登録ページ５１２に遷移させる（Ｓ５０２）。ご優待登録ページ５１２は、優待サービスの内容が記述されたＷｅｂページである。
紹介者ユーザは、ご優待登録ページ５１２を閲覧し、優待サービスの内容を確認する。その後、紹介者ユーザは、ユーザ端末１０１を操作することにより、ユーザ端末１０１のモニタの画面を、ご優待登録ページ５１２から同意ページ５１３に遷移させる（Ｓ５０３）。同意ページ５１３は、優待サービスの同意内容が記述されたＷｅｂページである。
【００３６】
紹介者ユーザは、同意ページ５１３を閲覧し、優待サービスの同意内容を確認する。その後、紹介者ユーザは、ユーザ端末１０１を操作することにより、ユーザ端末１０１のモニタの画面を、同意ページ５１３から個人情報入力ページ５１４に遷移させる（Ｓ５０４）。個人情報入力ページ５１４は、紹介者ユーザの個人情報を入力するための登録フォームが記述されたＷｅｂページである。
【００３７】
紹介者ユーザは、ユーザ端末１０１を操作することにより、個人情報入力ページ５１４に、法人名、ご担当者名、住所、電話番号、電子メールアドレス等の紹介者ユーザの個人情報を入力する。
【００３８】
個人情報入力ページ５１４の入力例を、図６に示す。図６に示すように、紹介者ユーザの個人情報は、法人名、法人名カナ、部署名、役職、ご担当者名、ご担当者カナ、郵便番号、住所、住所（建物名、階数など）電話番号、Ｆａｘ番号、電子メールアドレス、従業員数、業種、当社情報メールの希望の有無、当社製品購入の有無、紹介者いただいた方のアクセスナンバーがある。
【００３９】
この場合、個人情報入力ページ５１４の「ご紹介いただいた方のアクセスナンバーをご記入ください ※該当者のみ」の欄は、紹介者ユーザが登録サイトを紹介されていた場合
、登録サイトを紹介したユーザのアクセスナンバーを記入する。登録サイトを紹介したユーザがいない場合、「ご紹介いただいた方のアクセスナンバーをご記入ください ※該当
者のみ」の欄を無記入とする。
【００４０】
紹介者ユーザは、ユーザ端末１０１を操作することにより、個人情報入力ページ５１４を確認ページ５１５に遷移させる（Ｓ５０５）。確認ページ５１５は、個人情報入力ページ５１４に入力された紹介者ユーザの個人情報を確認するためのＷｅｂページである。
例えば、紹介者ユーザが、個人情報入力ページ５１４の「次へ進む」ボタンを押下した場合、ユーザ端末１０１のモニタの画面上に表示される個人情報入力ページ５１４は、確認ページ５１５に切り替わる。
【００４１】
紹介者ユーザは、確認ページ５１５を閲覧し、個人情報入力ページ５１４に入力した紹介者ユーザの個人情報を確認する。そして、紹介者ユーザは、ユーザ端末１０１を操作することにより、確認ページ５１５をアクセスナンバー発行ページ５１６に遷移させる（Ｓ５０６）。アクセスナンバー発行ページ５１６は、紹介者ユーザに紹介者ユーザのアクセスナンバーを知らせるためのＷｅｂページである。例えば、紹介者ユーザが、確認ページ５１５の「次へ進む」ボタンを押下した場合、ユーザ端末１０１のモニタの画面上に表示される優待登録ページは、アクセスナンバー発行ページ５１６に切り替わる。
【００４２】
確認ページ５１５がアクセスナンバー発行ページ５１６に遷移し、紹介者ユーザの優待サービスの登録が行われる。
【００４３】
つぎに、管理サーバ１０３は、個人情報入力ページ５１４に入力された紹介者ユーザの個人情報を格納部２０３に格納する（Ｓ４０２）。格納部２０３への紹介者ユーザの個人情報の格納は、紹介者ユーザが、ユーザ端末１０１を操作し、確認ページ５１５をアクセスナンバー発行ページ５１６に遷移させたことを契機として行われる。格納部２０３に紹介者ユーザの個人情報を格納する場合、個人情報入力ページ５１４に入力された紹介者ユーザの個人情報は、ＣＳＶ形式で出力される。
【００４４】
そして、管理サーバ１０３は、優待サービスの登録が完了した旨を知らせる登録完了メールを作成する（Ｓ４０３）。具体的には、生成部２０５が登録完了メールを作成する。この場合、生成部２０５は、登録完了メールをテキスト形式で作成する。登録完了メールの本文には、紹介者ユーザの優待サービスの登録完了を知らせる文章及び優待サービスのキャンペーンの記事などが記述される。
【００４５】
紹介者ユーザの優待サービスの登録完了を知らせる文章及び優待サービスのキャンペーンの記事は、管理サーバ１０３の管理者またはデータ運用者が予め作成する。管理サーバ１０３の管理者またはデータ運用者によって作成された紹介者ユーザの優待サービスの登録完了を知らせる文章及び優待サービスのキャンペーンの記事は、格納部２０３に格納される。生成部２０５は、紹介者ユーザの優待サービスの登録完了を知らせる文章及び優待サービスのキャンペーンの記事を登録完了メールの本文に記述して、登録完了メールを作成する。そして、生成部２０５は、格納部２０３に登録されている紹介者ユーザの電子メールアドレスを登録完了メールのヘッダに記述する。
【００４６】
つぎに、管理サーバ１０３は、登録完了メールをユーザ端末１０１に対して登録完了メールを送信する（Ｓ４０４）。具体的には、送信部２０１が登録完了メールを送信する。
【００４７】
そして、ユーザ端末１０１は、管理サーバ１０３から送信される登録完了メールをネットワーク１０４を介して受信する。紹介者ユーザは、ユーザ端末１０１が備えるメーラーを使用し、登録完了メールの本文に記述された紹介者ユーザの優待サービスの登録完了を
知らせる文章及び優待サービスのキャンペーンの記事を確認する（Ｓ４０５）。
【００４８】
登録完了メール内に、優待サービスのキャンペーンの記事がある場合、紹介者ユーザは、お友達である被紹介者ユーザに優待サービスを知らせる（Ｓ４０６）。具体的には、紹介者ユーザは、ユーザ端末１０１を操作し、登録完了メールの本文に記述されている優待サービスのキャンペーン記事をコピーし、電子メール（紹介メール）の本文に優待サービスのキャンペーン記事を貼り付ける。そして、紹介者ユーザは、ユーザ端末１０１を操作して、紹介メールをユーザ端末１０２に送信する。
【００４９】
図７および図８に、登録完了メールの本文に記述される紹介者ユーザの優待サービスの登録完了を知らせる文章及び優待サービスのキャンペーンの記事の例を示す。登録完了メールの本文には、図７および図８に示す紹介者ユーザの優待サービスの登録完了を知らせる文章及び優待サービスのキャンペーンの記事が記述される。例えば、紹介者ユーザは、ユーザ端末１０１を操作することにより、図８の紹介記事８０１を紹介メールの本文に貼り付ける。
【００５０】
ユーザ端末１０２は、ネットワーク１０４を介して、紹介メールを受信する（Ｓ４０７）。紹介メールの本文には、図８に示すようにＵＲＬが記述されている。被紹介者ユーザは、紹介メールの本文を閲覧し、優待サービスの提供を受けることを希望する場合、紹介メールの本文に記述されているＵＲＬをクリックする。具体的には、被紹介者ユーザは、ユーザ端末１０２が備えるメーラーを使用して、紹介メールの本文を閲覧する。そして、被紹介者ユーザは、ユーザ端末１０２が備える入力装置を操作することにより、ユーザ端末１０２のモニタの画面上に表示された紹介メールの本文に記述されているＵＲＬをユーザ端末１０２のブラウザに入力する。
【００５１】
紹介メールの本文に記述されているＵＲＬがユーザ端末１０２のブラウザに入力された場合、ユーザ端末１０２のモニタの画面上に個人情報を入力するためのＷｅｂページが表示される。具体的には、ユーザ端末１０２のブラウザが、紹介者ユーザのアクセスナンバーを含むＵＲＬを使用して、登録サイトにアクセスする。
【００５２】
図９を参照して、登録サイトへのアクセスおよび優待サービスの登録を具体的に説明する。まず、被紹介者ユーザは、ご優待登録ページ９１２を閲覧し、優待サービスの内容を確認する。ご優待登録ページ９１２は、優待サービスの内容が記述されたＷｅｂページである。その後、被紹介者ユーザは、ユーザ端末１０２を操作することにより、ユーザ端末１０２のモニタの画面を、ご優待登録ページ９１２から同意ページ９１３に遷移させる。同意ページ９１３は、優待サービスの同意内容が記述されたＷｅｂページである。
【００５３】
被紹介者ユーザは、同意ページ９１３を閲覧し、優待サービスの同意内容を確認する。その後、被紹介者ユーザは、ユーザ端末１０２を操作することにより、ユーザ端末１０２のモニタの画面を、同意ページ９１３から個人情報入力ページ９１４に遷移させる。個人情報入力ページ９１４は、被紹介者ユーザの個人情報を入力するための登録フォームが記述されたＷｅｂページである。
【００５４】
被紹介者ユーザはユーザ端末１０２を操作することにより、個人情報入力ページ９１４に、法人名、ご担当者名、住所、電話番号、電子メールアドレス等の被紹介者ユーザの個人情報を入力する。
【００５５】
図１０に、ユーザ端末１０２のモニタの画面上に個人情報入力ページ９１４が表示された場合の例を示す。ユーザ端末１０２のモニタの画面上に表示された個人情報入力ページ９１４の「ご紹介いただいた方のアクセスナンバーをご記入ください ※該当者のみ」の
欄は、紹介者ユーザのアクセスナンバーが記入された状態となっている。そのため、個人情報入力ページ９１４を表示するユーザ端末１０２のモニタの画面上において、被紹介者ユーザは、紹介者ユーザのアクセスナンバーを記入する必要はない。
【００５６】
被紹介者ユーザは、ユーザ端末１０２を操作することにより、個人情報入力ページ９１４を確認ページ９１５に遷移させる。確認ページ９１５は、個人情報入力ページ５１４に入力された被紹介者ユーザの個人情報を確認するためのＷｅｂページである。例えば、被紹介者ユーザが、個人情報入力ページ９１４の「次へ進む」ボタンを押下した場合、ユーザ端末１０２のモニタの画面上に表示される個人情報入力ページ９１４は、確認ページ９１５に切り替わる。
【００５７】
図１１に、ユーザ端末１０２のモニタの画面上に確認ページ９１５が表示された場合の例を示す。ユーザ端末１０２のモニタの画面上に表示された確認ページ９１５の「ご紹介いただいた方のアクセスナンバーをご記入ください ※該当者のみ」の欄は、紹介者ユー
ザのアクセスナンバーが記入されている。
【００５８】
被紹介者ユーザは、確認ページ９１５を閲覧し、個人情報入力ページ９１４に入力した被紹介者ユーザの個人情報を確認する。そして、被紹介者ユーザは、ユーザ端末１０２を操作することにより、確認ページ９１５をアクセスナンバー発行ページ９１６に遷移させる。アクセスナンバー発行ページ９１６は、被紹介者ユーザに被紹介者ユーザのアクセスナンバーを知らせるためのＷｅｂページである。例えば、被紹介者ユーザが、確認ページ９１５の「次へ進む」ボタンを押下した場合、ユーザ端末１０２のモニタの画面上に表示される優待登録ページは、アクセスナンバー発行ページ９１６に切り替わる。
【００５９】
確認ページ９１５がアクセスナンバー発行ページ９１６に遷移し、被紹介者ユーザの優待サービスの登録が行われる（Ｓ４０８）。
【００６０】
管理サーバ１０３は、個人情報入力ページ９１４に入力された被紹介者ユーザの個人情報を格納部２０３に格納する（Ｓ４０９）。格納部２０３への被紹介者ユーザの個人情報の格納は、被紹介者ユーザが、ユーザ端末１０２を操作し、確認ページ９１５をアクセスナンバー発行ページ９１６に遷移させたことを契機として行われる。
【００６１】
格納部２０３に被紹介者ユーザの個人情報を格納する場合、個人情報入力ページ９１４に入力された被紹介者ユーザの個人情報は、ＣＳＶ形式で出力される。図１２に示すように、個人情報入力ページ９１４に入力された被紹介者の個人情報をＣＳＶ形式で出力する場合、紹介者のアクセスナンバーは、ＣＳＶの出力項目の最後尾に記述される。
【００６２】
そして、管理サーバ１０３は、優待サービスの登録が完了した旨を知らせる登録完了メールを作成する（Ｓ４１０）。具体的には、生成部２０５が登録完了メールを作成する。この場合、生成部２０５は、登録完了メールをテキスト形式で作成する。登録完了メールの本文には、被紹介者ユーザの優待サービスの登録完了を知らせる文章及び優待サービスのキャンペーンの記事などが記述される。
【００６３】
被紹介者ユーザの優待サービスの登録完了を知らせる文章及び優待サービスのキャンペーンの記事は、管理サーバ１０３の管理者またはデータ運用者が予め作成する。管理サーバ１０３の管理者またはデータ運用者によって作成された被紹介者ユーザの優待サービスの登録完了を知らせる文章及び優待サービスのキャンペーンの記事は、格納部２０３に格納される。生成部２０５は、被紹介者ユーザの優待サービスの登録完了を知らせる文章及び優待サービスのキャンペーンの記事を登録完了メールの本文に記述して、登録完了メールを作成する。そして、生成部２０５は、格納部２０３に登録されている被紹介者ユーザ
の電子メールアドレスを登録完了メールのヘッダに記述する。
【００６４】
つぎに、管理サーバ１０３は、登録完了メールをユーザ端末１０２に対して登録完了メールを送信する（Ｓ４１１）。具体的には、送信部２０１が登録完了メールを送信する。
【００６５】
そして、ユーザ端末１０２は、ネットワーク１０４を介して、管理サーバ１０３から送信される登録完了メールを受信する。紹介者ユーザは、ユーザ端末１０１が備えるメーラーを使用し、登録完了メールの本文に記述された紹介者ユーザの優待サービスの登録完了を知らせる文章及び優待サービスのキャンペーンの記事を確認する（Ｓ４１２）。
【００６６】
被紹介者ユーザは、登録完了メールの本文に記述されている優待サービスのキャンペーンの記事を確認し、登録完了メールの本文に記述されている優待サービスのキャンペーンの記事を他のユーザに知らせることが可能となる。
【００６７】
紹介者ユーザが優待サービスの登録を行った場合（紹介者ユーザが紹介者ユーザの個人情報を登録サイトに登録した場合）、格納部２０３には、紹介者ユーザの個人情報とともに紹介者ユーザのアクセスナンバーが格納される。また、被紹介者ユーザが優待サービスの登録を行った場合（被紹介者ユーザが被紹介者ユーザの個人情報を登録サイトに登録した場合）、格納部２０３には、被紹介者ユーザの個人情報とともに紹介者ユーザのアクセスナンバーが格納される。
【００６８】
管理部２０４は、紹介者ユーザのアクセスナンバーの値が一致する紹介者ユーザと被紹介者ユーザとを、格納部２０３から抽出する。管理部２０４は、紹介者ユーザのアクセスナンバーの値が一致する紹介者ユーザと被紹介者ユーザとを抽出することにより、紹介者ユーザと、その紹介者ユーザに紹介されて優待サービスの登録を行った被紹介者ユーザとを、親子関係として検出する。管理部２０４は、紹介者ユーザと、その紹介者ユーザに紹介された被紹介者ユーザとを、親子関係として関連付けて管理する。
【００６９】
本実施形態によれば、被紹介者ユーザの優待サービスの登録フォームに紹介者ユーザのアクセスナンバーが入力されているので、被紹介者ユーザが紹介者ユーザによって優待サービスを紹介されたことを登録サイトに記録することができる。すなわち、管理部２０４は、紹介者のアクセスナンバーによって、紹介者ユーザと被紹介者ユーザとを親子関係として管理できる。そのため、紹介者ユーザは、紹介者ユーザの優待サービスの登録フォームに、被紹介者ユーザの個人情報を入力する必要はない。その結果、被紹介者ユーザの個人情報が被紹介者ユーザの許諾無しに登録サイトに提供されることを防止することが可能となる。
【００７０】
また、本実施形態によれば、被紹介者ユーザの優待サービスの登録フォームに紹介者ユーザのアクセスナンバーが入力されている。そのため、被紹介者ユーザは、優待サービスの登録を行う際に、被紹介者ユーザの優待サービスの登録フォームに、紹介者ユーザのアクセスナンバーを入力する必要はない。その結果、被紹介者ユーザが優待サービスの登録を行う場合において、紹介者ユーザのアクセスナンバーの入力ミスや未入力を防止することができる。また、紹介者ユーザを特定する情報（例えば、紹介者ユーザの名前）を、被紹介者ユーザが、被紹介者ユーザの優待サービスの登録フォームに入力する手間を省くことができる。また、紹介者ユーザのアクセスナンバーの未入力が防止されるので、被紹介者ユーザの優待サービスの登録が完了したことによる紹介者ユーザに対しての特典を紹介者ユーザは忘れられずに受けられる。
【００７１】
また、本実施形態によれば、管理部２０４は、紹介者ユーザと、その紹介者ユーザに紹介された被紹介者ユーザとを、親子関係として関連付けて管理する。その結果、管理サー
バ１０３の管理者またはデータ運用者は、管理部２０４によって管理される紹介者ユーザと被紹介者ユーザに対して、お友達登録キャンペーンによる特典をそれぞれに付与することが可能となる。
【００７２】
〈第２実施形態〉
第１実施形態では、ユーザ端末１０２が、優待サービスのキャンペーン記事が記述された紹介メールを受信するシステムについて説明した。
【００７３】
第２実施形態では、ご優待登録ページ９１２、同意ページ９１３及び個人情報入力ページ９１４をユーザ端末１０１で作成し、ご優待登録ページ９１２、同意ページ９１３及び個人情報入力ページ９１４をユーザ端末１０２に送信するシステムについて説明する。第２実施形態におけるユーザ端末１０１が備えるメーラーは、ＨＴＭＬメール作成機能を備えている。
【００７４】
他の構成および作用は、第１実施形態と同様である。そこで、同一の構成要素については、第１実施形態と同一の符号を付し、その説明を省略する。また、必要に応じて図１から図１２の図面を参照する。
【００７５】
〈第２実施形態の処理フロー〉
図１３に、第２実施形態に係るシステムの処理フローを示す。紹介者ユーザは、ユーザ端末１０１を操作することにより、管理サーバ１０３の登録サイトにアクセスする。そして、紹介者ユーザは、管理サーバ１０３の登録サイトにおいて、紹介者ユーザの個人情報を入力し、優待サービスの登録を行う（Ｓ１３０１）。
【００７６】
以下に、図１４を参照して、登録サイトへのアクセスおよび優待サービスの登録を具体的に説明する。
【００７７】
まず、紹介者ユーザは、ユーザ端末１０１を操作することにより、登録サイトにアクセスする。例えば、紹介者ユーザは、ユーザ端末１０１が備えるブラウザに登録サイトのＵＲＬを入力することにより、登録サイトにアクセスする（Ｓ１４０１）。
【００７８】
紹介者ユーザが、ユーザ端末１０１を操作することにより、登録サイトにアクセスした場合、ユーザ端末１０１のモニタの画面上には、トップページ５１１が表示される。トップページ５１１は、登録サイトがアクセスされた場合、ユーザ端末１０１のモニタの画面上に最初に表示されるＷｅｂページである。
【００７９】
紹介者ユーザは、ユーザ端末１０１を操作することにより、ユーザ端末１０１のモニタの画面を、トップページ５１１からご優待登録ページ５１２に遷移させる（Ｓ１４０２）。紹介者ユーザは、ご優待登録ページ５１２を閲覧し、優待サービスの内容を確認する。その後、紹介者ユーザは、ユーザ端末１０１を操作することにより、ユーザ端末１０１のモニタの画面を、ご優待登録ページ５１２から同意ページ５１３に遷移させる（Ｓ１４０３）。
【００８０】
紹介者ユーザは、同意ページ５１３を閲覧し、優待サービスの同意内容を確認する。その後、紹介者ユーザは、ユーザ端末１０１を操作することにより、ユーザ端末１０１のモニタの画面を、同意ページ５１３から個人情報入力ページ５１４に遷移させる（Ｓ１４０４）。
【００８１】
紹介者ユーザは、ユーザ端末１０１を操作することにより、個人情報入力ページ５１４に、法人名、ご担当者名、住所、電話番号、電子メールアドレス等の紹介者ユーザの個人
情報を入力する。
【００８２】
個人情報入力ページ５１４の入力例を、図１５に示す。図１５に示すように、紹介者ユーザの個人情報は、法人名、法人名カナ、部署名、役職、ご担当者名、ご担当者カナ、郵便番号、住所、住所（建物名、階数など）電話番号、Ｆａｘ番号、電子メールアドレス、従業員数、業種、当社情報メールの希望の有無、当社製品購入の有無、ＨＴＭＬメールの受信要否、紹介いただいた方のアクセスナンバーがある。
【００８３】
紹介者ユーザがＨＴＭＬメールの受信を希望する場合、個人情報入力ページ５１４のＨＴＭＬメールの受信が可能である欄にチェックマークを付ける。例えば、紹介者ユーザはユーザ端末１０１を操作することにより、図１５に示す個人情報入力ページ５１４の「ＨＴＭＬメールを希望しますか？」の欄の「はい」にチェックマークを付ける。
【００８４】
また、個人情報入力ページ５１４の「ご紹介いただいた方のアクセスナンバーをご記入ください ※該当者のみ」の欄は、紹介者ユーザが登録サイトを紹介されていた場合、登
録サイトを紹介したユーザのアクセスナンバーを記入する。登録サイトを紹介したユーザがいない場合、「ご紹介いただいた方のアクセスナンバーをご記入ください ※該当者の
み」の欄を無記入とする。
【００８５】
紹介者ユーザは、ユーザ端末１０１を操作することにより、個人情報入力ページ５１４を確認ページ５１５に遷移させる（Ｓ１４０５）。例えば、紹介者ユーザが、個人情報入力ページ５１４の「次へ進む」ボタンを押下した場合、ユーザ端末１０１のモニタの画面上に表示される個人情報入力ページ５１４は、確認ページ５１５に切り替わる。
【００８６】
紹介者ユーザは、確認ページ５１５を閲覧し、個人情報入力ページ５１４に入力した紹介者ユーザの個人情報を確認する。そして、紹介者ユーザは、ユーザ端末１０１を操作することにより、確認ページ５１５をアクセスナンバー発行ページ５１６に遷移させる（Ｓ１４０６）。例えば、紹介者ユーザが、確認ページ５１５の「次へ進む」ボタンを押下した場合、ユーザ端末１０１のモニタの画面上に表示される優待登録ページは、アクセスナンバー発行ページ５１６に切り替わる。
【００８７】
確認ページ５１５がアクセスナンバー発行ページ５１６に遷移し、紹介者ユーザの優待サービスの登録が行われる。
【００８８】
つぎに、管理サーバ１０３は、個人情報入力ページ５１４に入力された紹介者ユーザの個人情報を格納部２０３に格納する（Ｓ１３０２）。格納部２０３への紹介者ユーザの個人情報の格納は、紹介者ユーザが、ユーザ端末１０１を操作し、確認ページ５１５をアクセスナンバー発行ページ５１６に遷移させたことを契機として行われる。
【００８９】
格納部２０３に紹介者ユーザの個人情報を格納する場合、個人情報入力ページ５１４に入力された紹介者ユーザの個人情報は、ＣＳＶ形式で出力される。
【００９０】
そして、管理サーバ１０３は、優待サービスの登録が完了した旨を知らせる登録完了メールを作成する（Ｓ１３０３）。具体的には、管理部２０４は、個人情報入力ページ５１４に入力されたＨＴＭＬメールの受信要否の欄を参照する。そして、個人情報入力ページ５１４に入力されたＨＴＭＬメールの受信要否の欄が要である場合、管理部２０４は、ＨＴＭＬ形式で登録完了メールを作成するように生成部２０５に指示する。一方、個人情報入力ページ５１４に入力されたＨＴＭＬメールの受信要否の欄が否である場合、管理部２０４は、テキスト形式で登録完了メールを作成するように生成部２０５に指示する。管理部から指示を受けた生成部２０５は、登録完了メールを作成する。
【００９１】
ここで、登録完了メールがテキスト形式の電子メールである場合、図１３のＳ１３０３からＳ１３１３の手順を第１実施形態で説明する図４のＳ４０３からＳ４１２の手順で行う。したがって、登録完了メールがテキスト形式の電子メールである場合は、第１実施形態で説明しているので、その説明を省略する。
【００９２】
一方、登録完了メールがＨＴＭＬメールである場合、登録完了メールの本文には、紹介者ユーザの優待サービスの登録完了を知らせる文章、優待サービスのキャンペーンの記事および作成ボタンなどが記述される。
【００９３】
紹介者ユーザの優待サービスの登録完了を知らせる文章及び優待サービスのキャンペーンの記事は、管理サーバ１０３の管理者またはデータ運用者が予め作成する。管理サーバ１０３の管理者またはデータ運用者によって作成された紹介者ユーザの優待サービスの登録完了を知らせる文章及び優待サービスのキャンペーンの記事は、格納部２０３に格納される。生成部２０５は、紹介者ユーザの優待サービスの登録完了を知らせる文章、優待サービスのキャンペーンの記事および作成ボタンを登録完了メールの本文に記述して、登録完了メールを作成する。そして、生成部２０５は、格納部２０３に格納されている紹介者ユーザの電子メールアドレスを登録完了メールのヘッダに記述する。
【００９４】
つぎに、管理サーバ１０３は、登録完了メールをユーザ端末１０１に対して登録完了メールを送信する（Ｓ１４０４）。具体的には、送信部２０１が登録完了メールを送信する。
【００９５】
そして、ユーザ端末１０１は、ネットワーク１０４を介して、管理サーバ１０３から送信される登録完了メールを受信する。紹介者ユーザは、ユーザ端末１０１が備えるメーラーを使用し、登録完了メールの本文に記述された紹介者ユーザの優待サービスの登録完了を知らせる文章及び優待サービスのキャンペーンの記事を確認する（Ｓ１４０５）。
【００９６】
つぎに、紹介者ユーザは、ユーザ端末１０１が備えるメーラーを使用し、紹介メールを作成する（Ｓ１４０６）。図１６は、ＨＴＭＬメール形式の完了登録メールをユーザ端末１０１が受信した場合において、ユーザ端末１０１のモニタの画面に表示されるＨＴＭＬメールの表示例である。紹介者ユーザは、ユーザ端末１０１を操作することにより、ユーザ端末１０１のモニタの画面に表示されるＨＴＭＬメールの本文内に設けられた作成ボタン１６００を押下する。
【００９７】
作成ボタン１６００が押下された場合、ＨＴＭＬ形式の紹介メールが作成される。すなわち、ユーザ端末１０１のメーラーは、ＨＴＭＬメールの本文に、ご優待登録ページ９１２、同意ページ９１３及び個人情報入力ページ９１４を記述したＨＴＭＬメールを作成する。例えば、ご優待登録ページ９１２、同意ページ９１３及び個人情報入力ページ９１４の作成のソースプログラムを作成ボタン１６００に埋め込んでおく。そして、ユーザ端末１０１のメーラーは、作成ボタン１６００に埋め込まれたソースプログラムに基づいて、ＨＴＭＬメールの本文に、ご優待登録ページ９１２、同意ページ９１３及び個人情報入力ページ９１４を記述したＨＴＭＬメールを作成する。
【００９８】
紹介者ユーザは、ユーザ端末１０１を操作し、ＨＴＭＬ形式で作成された紹介メールのヘッダに被紹介者ユーザ端末のメールアドレスを記述する。紹介者ユーザは、ユーザ端末１０１を操作し、紹介メールをユーザ端末１０２に送信する。
【００９９】
ネットワーク１０４を介して、ユーザ端末１０２は、紹介メールを受信する。被紹介者ユーザは、ユーザ端末１０２のメーラーを使用し、紹介メールの本文に記述されているご
優待登録ページ９１２、同意ページ９１３及び個人情報入力ページ９１４を閲覧する。
【０１００】
図１７に、ＨＴＭＬ形式で作成された紹介メールの例を示す。図１７に示すように、紹介メールの本文には、登録ボタン１７００が設けられている。被紹介者ユーザは、優待サービスの登録を希望する場合、ユーザ端末１０２を操作することにより、個人情報入力ページ９１４に被紹介者ユーザの個人情報を入力し、紹介メールの本文内に設けられた登録ボタン１７００を押下する。
【０１０１】
ＨＴＭＬメールの本文内に設けられた登録ボタン１７００が押下された場合、個人情報入力ページ９１４に入力された被紹介者ユーザの個人情報は、管理サーバ１０３に送信される。具体的には、ユーザ端末１０２のブラウザが、管理サーバ１０３に個人情報入力ページ９１４に入力された被紹介者ユーザの個人情報を送信する。この場合、被紹介者ユーザの個人情報は、暗号化されていてもよい。
【０１０２】
また、ＨＴＭＬメールの本文内に設けられた登録ボタン１７００が押下された場合、被紹介者ユーザの個人情報が入力された個人情報入力ページ９１４を、管理サーバ１０３に送信してもよい。この場合、管理サーバ１０３に対して、ユーザ端末１０２のメーラーが被紹介者ユーザの個人情報が入力された個人情報入力ページ９１４を送信する。この場合、被紹介者ユーザの個人情報が入力された個人情報入力ページ９１４は、暗号化されていてもよい。
【０１０３】
管理サーバ１０３が個人情報入力ページ９１４に入力された被紹介者ユーザの個人情報を受信した場合、被紹介者ユーザの優待サービスの登録が行われる。
【０１０４】
紹介者ユーザが優待サービスの登録を行った場合（紹介者ユーザが紹介者ユーザの個人情報を登録サイトに登録した場合）、格納部２０３には、紹介者ユーザの個人情報とともに紹介者ユーザのアクセスナンバーが格納される。また、被紹介者ユーザが優待サービスの登録を行った場合（被紹介者ユーザが被紹介者ユーザの個人情報を登録サイトに登録した場合）、格納部２０３には、被紹介者ユーザの個人情報とともに紹介者ユーザのアクセスナンバーが格納される。
【０１０５】
管理部２０４は、紹介者ユーザのアクセスナンバーの値が一致する紹介者ユーザと被紹介者ユーザとを、格納部２０３から抽出する。管理部２０４は、紹介者ユーザのアクセスナンバーの値が一致する紹介者ユーザと被紹介者ユーザとを抽出することにより、紹介者ユーザと、その紹介者ユーザに紹介されて優待サービスの登録を行った被紹介者ユーザとを、親子関係として検出する。管理部２０４は、紹介者ユーザと、その紹介者ユーザに紹介された被紹介者ユーザとを、親子関係として関連付けて管理する。
【０１０６】
本実施形態によれば、被紹介者ユーザの優待サービスの登録フォームに紹介者ユーザのアクセスナンバーが入力されているので、被紹介者ユーザが紹介者ユーザによって優待サービスを紹介されたことを登録サイトに記録することができる。すなわち、管理部２０４は、紹介者のアクセスナンバーによって、紹介者ユーザと被紹介者ユーザとを親子関係として管理できる。そのため、紹介者ユーザは、紹介者ユーザの優待サービスの登録フォームに、被紹介者ユーザの個人情報を入力する必要はない。その結果、被紹介者ユーザの個人情報が被紹介者ユーザの許諾無しに登録サイトに提供されることを防止することが可能となる。
【０１０７】
また、本実施形態によれば、被紹介者ユーザの優待サービスの登録フォームに紹介者ユーザのアクセスナンバーが入力されている。そのため、被紹介者ユーザは、優待サービスの登録を行う際に、被紹介者ユーザの優待サービスの登録フォームに、紹介者ユーザのア
クセスナンバーを入力する必要はない。その結果、被紹介者ユーザが優待サービスの登録を行う場合において、紹介者ユーザのアクセスナンバーの入力ミスや未入力を防止することができる。また、紹介者ユーザを特定する情報（例えば、紹介者ユーザの名前）を、被紹介者ユーザが、被紹介者ユーザの優待サービスの登録フォームに入力する手間を省くことができる。また、紹介者ユーザのアクセスナンバーの未入力が防止されるので、被紹介者ユーザの優待サービスの登録が完了したことによる紹介者ユーザに対しての特典を紹介者ユーザは忘れられずに受けられる。
【０１０８】
また、本実施形態によれば、管理部２０４は、紹介者ユーザと、その紹介者ユーザに紹介された被紹介者ユーザとを、親子関係として関連付けて管理する。その結果、管理サーバ１０３の管理者またはデータ運用者は、管理部２０４によって管理される紹介者ユーザと被紹介者ユーザに対して、お友達登録キャンペーンによる特典をそれぞれに付与することが可能となる。
【０１０９】
〈変形例〉
第１実施形態では、登録完了メールの本文に優待サービスのキャンペーンの記事が記述された登録完了メールを、管理サーバ１０３がユーザ端末１０１およびユーザ端末１０２に送信することについて説明した。また、第２実施形態では、登録完了メールの本文に優待サービスのキャンペーンの記事および作成ボタン１６００が記述された登録完了メールを、管理サーバ１０３がユーザ端末１０１およびユーザ端末１０２に送信することについて説明した。
【０１１０】
しかし、本発明の実施は、上記実施形態には限定されない。すなわち、本変形例では、管理サーバ２０３が、優待サービスの登録を行った紹介者ユーザのユーザ端末１０１および優待サービスの登録を行った被紹介者ユーザのユーザ端末１０２に対して、優待メールの本文に優待サービスのキャンペーンの記事が記述された優待メールを送信してもよい。また、本変形例では、管理サーバ２０３が、優待サービスの登録を行った紹介者ユーザのユーザ端末１０１および優待サービスの登録を行った被紹介者ユーザのユーザ端末１０２に対して、優待メールの本文に優待サービスのキャンペーンの記事および作成ボタン１６００が記述された優待メールを送信してもよい。
【０１１１】
本変形例によれば、紹介者ユーザおよび被紹介者ユーザの優待サービスの登録時以外にも、紹介者ユーザおよび被紹介者ユーザは、お友達ユーザに、優待サービスのキャンペーンの記事を知らせることができる。
【０１１２】
〈コンピュータ読み取り可能な記録媒体〉
コンピュータに上記いずれかの機能を実現させるプログラムをコンピュータが読み取り可能な記録媒体に記録することができる。そして、コンピュータに、この記録媒体のプログラムを読み込ませて実行させることにより、その機能を提供させることができる。ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体のうちコンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。また、コンピュータに固定された記録媒体としてハードディスクやＲＯＭ等がある。
（付記１）
ネットワーク上にウェブサイトを開設し、該ウェブサイトにアクセスするユーザ端末と通信を行う管理サーバであって、
第１ユーザのユーザ情報を登録するための第１ユーザ情報入力表を前記ウェブサイトに設け、第１ユーザのユーザ端末から前記第１ユーザ情報入力表の入力を受け付ける受付部
と、
前記第１ユーザ情報入力表に入力された第１ユーザ情報および該第１ユーザ情報を識別する識別符号を含む第１登録情報を格納する格納部と、
前記第１ユーザ情報に含まれる前記ネットワーク上の識別情報に基づいて前記識別符号および前記ウェブサイトに設けられた第２ユーザ情報入力表のアドレス情報を前記第１ユーザ宛に送信する送信部と、を備え、
前記受付部は、第２ユーザのユーザ情報を登録するための第２ユーザ情報入力表を前記ウェブサイトに設け、前記アドレス情報を使用して前記ウェブサイトにアクセスする第２ユーザのユーザ端末から前記第２ユーザ情報入力表の入力を受け付け、
前記格納部は、前記第２ユーザ情報入力表に入力された第２ユーザ情報および前記識別符号を含む第２登録情報を格納する、管理サーバ。
（付記２）
前記格納部に格納された前記第１登録情報と前記第２登録情報とを前記識別符号によって関連付けて管理する管理部を、備える付記１に記載の管理サーバ。
（付記３）
ネットワーク上にウェブサイトを開設し、該ウェブサイトにアクセスするユーザ端末と通信を行う管理サーバであって、
第１ユーザのユーザ情報を登録するための第１ユーザ情報入力表を前記ウェブサイトに設け、第１ユーザのユーザ端末から前記第１ユーザ情報入力表の入力を受け付ける受付部と、
前記第１ユーザ情報入力表に入力された第１ユーザ情報および該第１ユーザ情報を識別する識別符号を含む第１登録情報を格納する格納部と、
前記第１ユーザ情報に含まれる前記ネットワーク上の識別情報に基づいて前記識別符号および第２ユーザ情報入力表を作成するソースプログラムを前記第１ユーザ宛に送信する送信部と、
前記ソースプログラムに基づいて作成された第２ユーザ情報入力表に入力された第２ユーザのユーザ情報および前記識別符号を含む第２登録情報を受信する受信部と、を備え、
前記格納部は、前記第２登録情報を格納する、管理サーバ。
（付記４）
前記格納部に格納された前記第１登録情報と前記第２登録情報とを前記識別符号によって関連付けて管理する管理部を、備える付記３に記載の管理サーバ。
（付記５）
ネットワーク上にウェブサイトを開設し、該ウェブサイトにアクセスするユーザ端末と通信を行う管理サーバが実行する管理方法であって、
第１ユーザのユーザ情報を登録するための第１ユーザ情報入力表を前記ウェブサイトに設け、第１ユーザのユーザ端末から前記第１ユーザ情報入力表の入力を受け付ける受付ステップと、
前記第１ユーザ情報入力表に入力された第１ユーザ情報および該第１ユーザ情報を識別する識別符号を含む第１登録情報を格納部に格納する格納ステップと、
前記第１ユーザ情報に含まれる前記ネットワーク上の識別情報に基づいて前記識別符号および前記ウェブサイトに設けられた第２ユーザ情報入力表のアドレス情報を前記第１ユーザ宛に送信する送信ステップと、を備え、
前記受付ステップは、第２ユーザのユーザ情報を登録するための第２ユーザ情報入力表を前記ウェブサイトに設け、前記アドレス情報を使用して前記ウェブサイトにアクセスする第２ユーザのユーザ端末から前記第２ユーザ情報入力表の入力を受け付け、
前記格納ステップは、前記格納部に前記第２ユーザ情報入力表に入力された第２ユーザ情報および前記識別符号を含む第２登録情報を格納する、管理方法。
（付記６）
前記格納部に格納された前記第１登録情報と前記第２登録情報とを前記識別符号によって関連付けて管理する管理ステップを、備える付記５に記載の管理方法。
（付記７）
ネットワーク上にウェブサイトを開設し、該ウェブサイトにアクセスするユーザ端末と通信を行う管理サーバが実行する管理方法であって、
第１ユーザのユーザ情報を登録するための第１ユーザ情報入力表を前記ウェブサイトに設け、第１ユーザのユーザ端末から前記第１ユーザ情報入力表の入力を受け付ける受付ステップと、
前記第１ユーザ情報入力表に入力された第１ユーザ情報および該第１ユーザ情報を識別する識別符号を含む第１登録情報を格納部に格納する格納ステップと、
前記第１ユーザ情報に含まれる前記ネットワーク上の識別情報に基づいて前記識別符号および第２ユーザ情報入力表を作成するソースプログラムを前記第１ユーザ宛に送信する送信ステップと、
前記ソースプログラムに基づいて作成された第２ユーザ情報入力表に入力された第２ユーザのユーザ情報および前記識別符号を含む第２登録情報を受信する受信ステップと、を備え、
前記格納ステップは、前記格納部に前記第２登録情報を格納する、管理方法。
（付記８）
前記格納部に格納された前記第１登録情報と前記第２登録情報とを前記識別符号によって関連付けて管理する管理ステップを、備える付記７に記載の管理方法。
（付記９）
ネットワーク上にウェブサイトを開設し、該ウェブサイトにアクセスするユーザ端末と通信を行う管理サーバに実行させる、コンピュータ実行可能なプログラムであって、
第１ユーザのユーザ情報を登録するための第１ユーザ情報入力表を前記ウェブサイトに設け、第１ユーザのユーザ端末から前記第１ユーザ情報入力表の入力を受け付ける受付ステップと、
前記第１ユーザ情報入力表に入力された第１ユーザ情報および該第１ユーザ情報を識別する識別符号を含む第１登録情報を格納部に格納する格納ステップと、
前記第１ユーザ情報に含まれる前記ネットワーク上の識別情報に基づいて前記識別符号および前記ウェブサイトに設けられた第２ユーザ情報入力表のアドレス情報を前記第１ユーザ宛に送信する送信ステップと、を備え、
前記受付ステップは、第２ユーザのユーザ情報を登録するための第２ユーザ情報入力表を前記ウェブサイトに設け、前記アドレス情報を使用して前記ウェブサイトにアクセスする第２ユーザのユーザ端末から前記第２ユーザ情報入力表の入力を受け付け、
前記格納ステップは、前記格納部に前記第２ユーザ情報入力表に入力された第２ユーザ情報および前記識別符号を含む第２登録情報を格納する、プログラム。
（付記１０）
前記格納部に格納された前記第１登録情報と前記第２登録情報とを前記識別符号によって関連付けて管理する管理ステップを、備える付記９に記載の管理方法。
（付記１１）
ネットワーク上にウェブサイトを開設し、該ウェブサイトにアクセスするユーザ端末と通信を行う管理サーバに実行させる、コンピュータ実行可能なプログラムであって、
第１ユーザのユーザ情報を登録するための第１ユーザ情報入力表を前記ウェブサイトに設け、第１ユーザのユーザ端末から前記第１ユーザ情報入力表の入力を受け付ける受付ステップと、
前記第１ユーザ情報入力表に入力された第１ユーザ情報および該第１ユーザ情報を識別する識別符号を含む第１登録情報を格納部に格納する格納ステップと、
前記第１ユーザ情報に含まれる前記ネットワーク上の識別情報に基づいて前記識別符号および第２ユーザ情報入力表を作成するソースプログラムを前記第１ユーザ宛に送信する送信ステップと、
前記ソースプログラムに基づいて作成された第２ユーザ情報入力表に入力された第２ユーザのユーザ情報および前記識別符号を含む第２登録情報を受信する受信ステップと、を
備え、
前記格納ステップは、前記格納部に前記第２登録情報を格納する、プログラム。
（付記１２）
前記格納部に格納された前記第１登録情報と前記第２登録情報とを前記識別符号によって関連付けて管理する管理ステップを、備える付記１１に記載の管理方法。
【図面の簡単な説明】
【０１１３】
【図１】本実施形態のシステム構成を示すブロック図である。
【図２】管理サーバ１０３の機能ブロック図である。
【図３】管理サーバ１０３のハードウェア構成を示した図である。
【図４】第１実施形態に係るシステムの処理フローを示した図である。
【図５】登録サイトへのアクセスおよび優待サービスの登録の説明図である。
【図６】個人情報入力ページ５１４の入力例を示した図である。
【図７】登録完了メールの本文に記述される紹介者ユーザの優待サービスの登録完了を知らせる文章及び優待サービスのキャンペーンの記事の例を示した図である。
【図８】登録完了メールの本文に記述される紹介者ユーザの優待サービスの登録完了を知らせる文章及び優待サービスのキャンペーンの記事の例を示した図である。
【図９】登録サイトへのアクセスおよび優待サービスの登録の説明図である。
【図１０】ユーザ端末１０２のモニタの画面上に個人情報入力ページ９１４が表示された場合の例を示した図である。
【図１１】ユーザ端末１０２のモニタの画面上に確認ページ９１５が表示された場合の例を示した図である。
【図１２】個人情報入力ページ９１４に入力された被紹介者の個人情報をＣＳＶ形式で出力する場合の説明図である。
【図１３】第２実施形態に係るシステムの処理フローを示した図である。
【図１４】登録サイトへのアクセスおよび優待サービスの登録の説明図である。
【図１５】個人情報入力ページ５１４の入力例を示した図である。
【図１６】ユーザ端末１０１のモニタの画面に表示されるＨＴＭＬメールの表示例である。
【図１７】ＨＴＭＬ形式で作成された紹介メールの例を示した図である。
【符号の説明】
【０１１４】
１０１  ユーザ端末
１０２  ユーザ端末
１０３  管理サーバ
１０４  ネットワーク
２０１  送信部
２０２  受信部
２０３  格納部
２０４  管理部
２０５  生成部
２０６  受付部
３０１  ＣＰＵ（Central Processing Unit）
３０２  ＲＯＭ（Read Only Memory）
３０３  ＲＡＭ（Random Access Memory）
３０４  外部記憶装置
３０５  操作部
３０６  表示部
３０７  インターフェース部
５１１、９１１  トップページ
５１２、９１２  ご優待登録ページ
５１３、９１３  同意ページ
５１４、９１４  個人情報入力ページ
５１５、９１５  確認ページ
１６００  作成ボタン
１７００  登録ボタン
【図１】
2008165391.tif 000003
【図２】
2008165391.tif 000004
【図３】
2008165391.tif 000005
【図４】
2008165391.tif 000006
【図５】
2008165391.tif 000007
【図６】
2008165391.tif 000008
【図７】
2008165391.tif 000009
【図８】
2008165391.tif 000010
【図９】
2008165391.tif 000011
【図１０】
2008165391.tif 000012
【図１１】
2008165391.tif 000013
【図１２】
2008165391.tif 000014
【図１３】
2008165391.tif 000015
【図１４】
2008165391.tif 000016
【図１５】
2008165391.tif 000017
【図１６】
2008165391.tif 000018
【図１７】
2008165391.tif 000019